(57)【要約】【課題】表示すべき画像を隠すことなく、時刻等の文字情報を表示可能なプロジェクタを提供する。【解決手段】ユーザが文字合成キーを操作して、文字情報の表示（文字合成）を指示すると、画像信号処理部は、画素領域１２ａの上部に、一行分の文字列を表示可能な高さＨｔを有する文字領域１２ｔを設定し、入力画像Ｇｉが残りの領域（画像領域１２ｇ）の高さＨｇに収まるように画像データを補正する。合成処理部は、制御部の指示に基づく文字情報（日付と時刻）を表す文字画像データを生成し、文字領域１２ｔに文字画像Ｇｔを形成させるべく画像信号処理部から入力される画像データに、生成した文字画像データを合成する。【選択図】図７
2008268624.tif 000002
【特許請求の範囲】
【請求項１】
光源と、
前記光源から射出された光を変調して画像を形成する光変調装置と、
前記光変調装置で形成された画像を投写する投写光学系と、
前記光変調装置の一部の領域に、入力される画像信号に基づく入力画像を形成させる画像信号処理部と、
前記光変調装置の前記一部の領域の外側に、文字情報を表す文字画像を形成させる文字表示部と、
を備えたことを特徴とするプロジェクタ。
【請求項２】
請求項１に記載のプロジェクタであって、
前記画像信号処理部は、あおり投写を行う場合に生じる台形歪を補正するために、前記光変調装置に形成させる前記入力画像を縮小させる台形歪補正部を備え、
前記文字表示部は、前記台形歪補正部が前記入力画像を縮小させることによって生じる余剰領域に前記文字画像を形成させることを特徴とするプロジェクタ。
【請求項３】
請求項２に記載のプロジェクタであって、
前記画像信号処理部は、前記一部の領域の外側に、前記文字画像を形成可能な余剰領域がない場合に、前記入力画像を縮小させて必要な余剰領域を設けることを特徴とするプロジェクタ。
【請求項４】
請求項２に記載のプロジェクタであって、
前記文字表示部は、前記一部の領域の外側に、前記文字画像を形成可能な余剰領域がある場合にのみ、当該余剰領域に前記文字画像を形成させることを特徴とするプロジェクタ。
【請求項５】
請求項１〜４のいずれか１項に記載のプロジェクタであって、
前記文字情報は、日付及び時刻の少なくとも一方を表す日時情報であることを特徴とするプロジェクタ。
【発明の詳細な説明】
【技術分野】
【０００１】
本発明は、入力される画像信号に応じた画像を投写するプロジェクタに関する。
【背景技術】
【０００２】
プロジェクタを用いてプレゼンテーションや映像鑑賞を行っている途中に、時刻を確認したい場合がある。ところが、室内を暗くした状態でプロジェクタを使用している場合には、室内の時計が見えにくく、時刻の確認が困難であった。また、室内がさほど暗くない状態であっても、時刻を確認することによってプレゼンテーションの進行や映像の鑑賞が途切れてしまうことがあった。特許文献１には、表示すべき画像内に時刻を表示可能なプロジェクタが提案されている。このプロジェクタによれば、画像の中に時刻が表示されるため、室内の明暗に拘わらず、画像から視線を外すことなく時刻の確認が可能となる。
【０００３】
【特許文献１】特開平９−２６１５６８号公報
【発明の開示】
【発明が解決しようとする課題】
【０００４】
しかしながら、画像の中に時刻を表示することは、表示すべき画像の一部を時刻で隠してしまうことになるため、時刻の表示を必要としない場合に目障りになってしまうという問題を有している。プロジェクタの本体やリモコンに、時刻の表示と非表示とを切り換えるためのボタンを備えるようにしても、時刻の確認の度にこのボタンを操作しなければならないため、ユーザに煩わしさを感じさせてしまうことになる。
本発明は、上記問題に鑑みてなされたものであり、その目的は、表示すべき画像を隠すことなく、時刻等の文字情報を表示可能なプロジェクタを提供することにある。
【課題を解決するための手段】
【０００５】
本発明のプロジェクタは、光源と、前記光源から射出された光を変調して画像を形成する光変調装置と、前記光変調装置で形成された画像を投写する投写光学系と、前記光変調装置の一部の領域に、入力される画像信号に基づく入力画像を形成させる画像信号処理部と、前記光変調装置の前記一部の領域の外側に、文字情報を表す文字画像を形成させる文字表示部と、を備えたことを特徴とする。
【０００６】
このプロジェクタによれば、文字表示部が、入力画像の外側に文字画像を形成させるため、文字情報は、投写される入力画像の外側に表示されることになる。このため、表示すべき画像を隠すことなく、時刻等の文字情報を表示することが可能となる。
【０００７】
このプロジェクタにおいて、前記画像信号処理部は、あおり投写を行う場合に生じる台形歪を補正するために、前記光変調装置に形成させる前記入力画像を縮小させる台形歪補正部を備え、前記文字表示部は、前記台形歪補正部が前記入力画像を縮小させることによって生じる余剰領域に前記文字画像を形成させることが望ましい。
【０００８】
このプロジェクタによれば、台形歪補正部が、台形歪を補正すべく入力画像を縮小させ、文字表示部が、台形歪補正部による入力画像の縮小によって生じる余剰領域に文字画像を形成させている。このため、文字情報を表示する領域を確保するために改めて入力画像を縮小させる必要がなくなるため、縮小に伴う入力画像の劣化（画質低下）を抑制することが可能となる。
【０００９】
このプロジェクタにおいて、前記画像信号処理部は、前記一部の領域の外側に、前記文字画像を形成可能な余剰領域がない場合に、前記入力画像を縮小させて必要な余剰領域を設けるようにしてもよい。
【００１０】
このプロジェクタによれば、文字画像を形成可能な余剰領域がない場合に、画像信号処理部が、入力画像を縮小させて必要な余剰領域を設けるようにしているため、常に入力画像の外側に文字画像を表示することが可能となる。
【００１１】
このプロジェクタにおいて、前記文字表示部は、前記一部の領域の外側に、前記文字画像を形成可能な余剰領域がある場合にのみ、当該余剰領域に前記文字画像を形成させるようにしてもよい。
【００１２】
このプロジェクタによれば、文字情報を表示するだけのために入力画像を縮小させる必要がなくなるため、縮小に伴う入力画像の劣化（画質低下）を抑制することが可能となる。
【００１３】
このプロジェクタにおいて、前記文字情報は、日付及び時刻の少なくとも一方を表す日時情報であることが望ましい。
【００１４】
このプロジェクタによれば、入力画像の外側に日付や時刻が表示されるため、プレゼンテーションや映像鑑賞の途中に、カレンダーや時計を見る必要がなくなる。
【発明を実施するための最良の形態】
【００１５】
以下、本発明の実施形態に係るプロジェクタについて、図面を参照して説明する。
図１は、本実施形態のプロジェクタを示す斜視図であり、スクリーンに画像を投写する様子を示している。
図１に示すように、プロジェクタ１は、パーソナルコンピュータ等の外部の画像供給装置２から入力される画像信号に応じた画像（入力画像Ｇｉ）をスクリーンＳＣ等に投写するとともに、入力画像Ｇｉの外側上方に、日付や時刻等の文字情報（日時情報）を表す文字画像Ｇｔを投写することができる。つまり、プロジェクタ１から投写された画像（投写画像Ｇａ）には、入力画像Ｇｉと文字画像Ｇｔとが含まれている。
【００１６】
図２は、本実施形態のプロジェクタの概略構成を示すブロック図である。
図２に示すように、プロジェクタ１は、画像の投写を行う画像投写部１０と、制御部２０と、入力操作部２１と、時計部２２と、画像信号入力部３１と、画像信号処理部３２と、合成処理部３４とを有している。
【００１７】
画像投写部１０は、超高圧水銀ランプやメタルハライドランプ等の放電型光源ランプからなる光源１１と、光源１１から射出される光を変調して画像を形成する光変調装置としての液晶ライトバルブ１２と、液晶ライトバルブ１２で形成された画像をスクリーンＳＣ等に拡大投写する投写光学系としての投写レンズ１３と、液晶ライトバルブ１２を駆動するライトバルブ駆動部１４とを備えている。
【００１８】
液晶ライトバルブ１２は、一対の透明基板間に液晶が封入された液晶パネル等によって構成される。液晶ライトバルブ１２には、マトリクス状に配列された複数の画素Ｐｘからなる矩形状の画素領域１２ａが形成されており、液晶に対して画素Ｐｘ毎に駆動電圧を印加可能になっている。ライトバルブ駆動部１４の駆動によって、液晶ライトバルブ１２の各画素Ｐｘに画像信号に応じた駆動電圧が印加されると、光源１１から射出された光は、画素Ｐｘ毎に異なる光透過率で液晶ライトバルブ１２を透過して画像信号に応じた画像（画像光）となり、投写レンズ１３によってスクリーンＳＣ等に投写される。
【００１９】
なお、図示は省略しているが、画像投写部１０は、光の３原色である赤（Ｒ）、緑（Ｇ）、青（Ｂ）の各色光用に３つの液晶ライトバルブ１２を備えている。光源１１から射出される光は、図示しない光分離光学系によって前記３つの色光に分離された後、それぞれ各色光用の液晶ライトバルブ１２に入射する。液晶ライトバルブ１２を透過した各色の画像光は、図示しない光合成光学系（ダイクロイックプリズム等）によって画素毎に合成され、カラー画像を表す画像光となって投写レンズ１３から投写される。
【００２０】
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００２１】
入力操作部２１は、プロジェクタ１に対して各種指示を行うための複数のキー等を備えている。入力操作部２１が備えるキーには、電源のオン／オフを行うための電源キーや、各種設定を行うためのメニューキー、台形歪の補正を指示するための台形歪補正キー、文字画像Ｇｔの表示／非表示を切り換える文字合成キー等がある。ユーザが入力操作部２１を操作すると、入力操作部２１は、ユーザの操作内容に応じた操作信号を制御部２０に出力する。なお、入力操作部２１として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００２２】
時計部２２は、例えば、リアルタイムクロックやバックアップ電源用の二次電池（いずれも図示せず）等で構成され、現在の時刻（時・分）及び日付（月・日）の保持とその更新を行う。時計部２２は、時刻や日付が更新される度に、時刻や日付を表す日時情報を制御部２０に出力する。
【００２３】
画像信号入力部３１には、パーソナルコンピュータや映像再生装置等、外部の画像供給装置２から各種形式の画像信号が入力される。画像信号入力部３１は、入力される画像信号に基づいて、入力画像Ｇｉを表すデジタルの画像データを生成する。この画像データには、各液晶ライトバルブ１２のすべての画素Ｐｘに対応する複数の画素値が含まれている。画素値は、対応する画素Ｐｘの光透過率を定めるものであり、この画素値によって、各画素Ｐｘから射出する光の強弱（階調）が規定される。画像信号入力部３１は、生成した画像データを画像信号処理部３２に出力する。
【００２４】
画像信号処理部３２は、制御部２０の指示に基づいて、入力される画像データに対し、入力画像Ｇｉの変形（拡大や縮小）や色調の補正等、各種画像処理を施し、処理後の画像データを合成処理部３４に出力する。また、画像信号処理部３２には、台形歪補正部３３が備えられており、あおり投写を行う場合、即ちスクリーンＳＣに対してプロジェクタ１を傾けた状態で画像を投写する場合に、入力画像Ｇｉがあおり方向に拡大してしまう歪（台形歪）を抑制するための補正（台形歪補正）を画像データに施すことができる。ユーザが入力操作部２１の台形歪補正キーを操作すると、制御部２０は、画像信号処理部３２に対して、台形歪補正部３３による台形歪補正の実施を指示する。画像信号処理部３２は、制御部２０から上記指示を受けると、台形歪補正部３３によって、画像データから画素値の間引きを行ってあおり方向に向かうほど入力画像Ｇｉを縮小させる補正を行う。
【００２５】
合成処理部３４は、制御部２０の指示に基づいて、文字情報を表す文字画像Ｇｔを合成表示するための処理を行うものであり、本発明の文字表示部に相当する。合成処理部３４は、図示しないメモリを備えており、文字のフォントを表す画像データ（フォントデータ）を記憶している。ユーザが入力操作部２１の文字合成キーを操作すると、制御部２０は、合成処理部３４に対して、文字画像Ｇｔの表示を指示する。合成処理部３４は、制御部２０から上記指示を受けると、必要なフォントデータをメモリから読み出して、文字画像Ｇｔを表す文字画像データを生成する。その後、合成処理部３４は、投写画像Ｇａの所定の位置（入力画像Ｇｉの外側上方）に文字画像Ｇｔが形成されるように、画像信号処理部３２から入力される画像データに文字画像データを合成する。
【００２６】
本実施形態では、文字情報として日付と時刻を表示するようになっている。制御部２０は、時計部２２から得られる日時情報に基づいて、日付及び時刻を表すテキストデータを生成し、これを合成処理部３４に出力する。合成処理部３４は、このテキストデータに基づいて文字画像データを生成し、これを画像データに合成する。
【００２７】
合成処理部３４は、合成後の画像データをライトバルブ駆動部１４に出力する。なお、制御部２０から文字画像Ｇｔを表示する旨の指示がない場合には、合成処理部３４は、画像信号処理部３２から出力される画像データを、そのままライトバルブ駆動部１４に出力する。
【００２８】
ライトバルブ駆動部１４が、入力される画像データ、即ち画素Ｐｘ毎の画素値に従って液晶ライトバルブ１２を駆動すると、液晶ライトバルブ１２は、画像データに応じた画像を画素領域１２ａで形成し、この画像が投写レンズ１３からスクリーンＳＣに投写される。
【００２９】
次に、台形歪補正部３３による台形歪補正について、図３及び図４を用いて説明する。
図３（ａ）〜（ｅ）、及び図４（ａ）〜（ｄ）は、台形歪補正を説明するための説明図であり、図３（ａ）〜（ｅ）は、台形歪補正を施していない状態を示す図、図４（ａ）〜（ｄ）は、台形歪補正を施した状態を示す図である。ここで、図３（ａ）は、液晶ライトバルブ１２の正面図、図３（ｂ）は、プロジェクタ１が水平に投写を行う様子を示す側面図、図３（ｃ）は、そのときにスクリーンＳＣに表示される投写画像Ｇａを示す正面図である。また、図３（ｄ）は、プロジェクタ１があおり投写を行う様子を示す側面図であり、図３（ｅ）は、そのときにスクリーンＳＣに表示される投写画像Ｇａを示す正面図である。また、図４（ａ）、（ｃ）は、液晶ライトバルブ１２の正面図、図４（ｂ）、（ｄ）は、あおり投写を行う場合にスクリーンＳＣに表示される投写画像Ｇａを示す正面図である。
【００３０】
なお、図３及び図４において、液晶ライトバルブ１２に向かって左右方向を±ｘ方向、上下方向を±ｙ方向とし、スクリーンＳＣに向かって左右方向を±Ｘ方向、上下方向を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。また、図３及び図４において、画素領域１２ａや投写画像Ｇａ内に示した格子状の模様は、画素領域１２ａで形成された画像と、スクリーンＳＣに投写された投写画像Ｇａとの対応を示すために補助的に付加した線であり、実際にこのような模様を表示することを意味するものではない。また、説明を簡単にするため、図３及び図４では、文字画像Ｇｔを表示せず、入力画像Ｇｉのみを表示する場合の例を示している。
【００３１】
図３（ａ）に示すように、台形歪補正を行わず、かつ文字画像Ｇｔを表示しない場合には、液晶ライトバルブ１２は、画素領域１２ａの全域で入力画像Ｇｉを形成する。つまり、この場合には、入力画像Ｇｉを形成するための領域（画像形成領域１２ｉ）は、画素領域１２ａと一致する。ここで、図３（ｂ）、（ｃ）に示すように、プロジェクタ１が水平に設置され、スクリーンＳＣに対してあおりのない投写を行う場合には、投写画像Ｇａ（入力画像Ｇｉ）は、画素領域１２ａと同じアスペクト比（縦横比）の矩形状となり、ほとんど歪のない状態でスクリーンＳＣに投写される。一方、図３（ｄ）、（ｅ）に示すように、プロジェクタ１を設置面に対して傾斜角θだけ傾けて設置し、上方（＋Ｙ方向）に向けてあおり投写を行う場合には、投写画像Ｇａ（入力画像Ｇｉ）は、あおり方向（＋Ｙ方向）に向かうほど±Ｘ方向及び＋Ｙ方向に拡大されて台形状に歪む。
【００３２】
制御部２０が画像信号処理部３２に対して台形歪補正を指示すると、画像信号処理部３２は、入力される画像データから画素値の間引きを行い、補正を行わない場合に比べて、入力画像Ｇｉがあおり方向（＋Ｙ方向）に向かうほど±Ｘ方向及び±Ｙ方向に縮小するような補正を施す。具体的には、図４（ａ）に示すように、液晶ライトバルブ１２の画素領域１２ａに、台形歪を相殺可能な反対向きの台形形状、即ち画素領域１２ａよりも低い高さで、かつあおり方向（＋ｙ方向）に向かうほど横幅（±ｘ方向の寸法）が縮小する形状の画像形成領域１２ｉを設定する。次いで、設定した画像形成領域１２ｉに入力画像Ｇｉを形成させるために、台形歪補正部３３が、画像データから、あおり投写による拡大の程度が高い位置ほど多くの画素値を間引くとともに、画像形成領域１２ｉの外側の領域、即ち間引き（画像の縮小）によって生じる余剰領域１２ｎに含まれる各画素Ｐｘの光透過率が最小となるように画像データを補正する。この結果、図４（ｂ）に示すように、あおり投写による入力画像Ｇｉの歪が補正されるとともに、余剰領域１２ｎに対応する投写画像Ｇａ内の領域Ｇｎには光がほとんど照射されないことから、入力画像Ｇｉは、正規の形状（矩形状）でスクリーンＳＣに表示される。なお、画素値の間引きに伴う階調情報の欠落を補うために、間引きの対象となる画素に近接する画素の画素値を、間引かれる画素値に応じて補正することが望ましい。
【００３３】
また、ユーザは、台形歪補正キーの操作により、台形歪を複数段階の補正量で補正することができる。ユーザが台形歪補正キーを操作して補正量を指定すると、制御部２０は、指定された補正量を表す補正情報を画像信号処理部３２に出力し、画像信号処理部３２は、この補正情報に基づいて画像形成領域１２ｉの高さＨｉ、及び短いほうの底辺（本実施形態では、上底）の長さＷｉを定めるようになっている。このため、傾斜角θ（図３（ｄ）参照）が大きく、投写画像Ｇａの歪が大きい場合には、ユーザは、図４（ｃ）、（ｄ）に示すように、傾斜角θが小さい場合に比べて画像形成領域１２ｉの高さＨｉ及び上底の長さＷｉが小さくなるように補正量を指定することにより、プロジェクタ１の傾斜角θに応じた補正を行わせることができる。
【００３４】
次に、文字画像Ｇｔを表示する場合のプロジェクタ１の動作について説明する。
図５〜図９は、文字画像Ｇｔを表示する際の動作を説明するための説明図であり、図５、及び図６〜図９の（ａ）、（ｂ）は、液晶ライトバルブ１２の正面図を示している。また、図６〜図９の（ｃ）は、スクリーンＳＣに表示される投写画像Ｇａを示す正面図である。
【００３５】
ユーザが文字合成キーを操作して、文字情報の表示（文字合成）を指示すると、制御部２０は、画像信号処理部３２に対して文字合成の指示があった旨を通知するとともに、合成処理部３４に対して、合成すべき文字情報（日付及び時刻）を表すテキストデータを出力して、文字合成を指示する。
【００３６】
画像信号処理部３２は、制御部２０から上記の通知を受けると、図５に示すように、画素領域１２ａの上部に、一行分の文字列を表示可能な高さＨｔを有する文字領域１２ｔを設定し、入力画像Ｇｉが残りの領域（以降、画像領域１２ｇという）の高さＨｇに収まるように画像データを補正する。
【００３７】
具体的には、画像信号処理部３２は、文字合成キーが操作された時点での画像形成領域１２ｉの高さＨｉ（図４参照）が、画像領域１２ｇの高さＨｇを超えているか否か、即ち、画像形成領域１２ｉの上方の余剰領域１２ｎの高さＨｎ（図４参照）が、文字領域１２ｔの高さＨｔよりも低いか否かを判断する。その結果、画像形成領域１２ｉの高さＨｉが、画像領域１２ｇの高さＨｇを超えている場合、即ち、余剰領域１２ｎの高さＨｎが、文字領域１２ｔの高さＨｔよりも低い場合には、画像信号処理部３２は、画像形成領域１２ｉを縮小し、画像領域１２ｇに収まる新たな画像形成領域１２ｊ（図６及び図７参照）を設定する。
【００３８】
例えば、文字合成キーが操作された時点で台形歪補正を行っておらず、画素領域１２ａの全体で入力画像Ｇｉを形成していた場合（図３（ａ）参照）には、画像形成領域１２ｉの高さＨｉは、画素領域１２ａの高さと等しく、画像領域１２ｇの高さＨｇを超えることになる。このため、画像信号処理部３２は、図６（ａ）に示すように、それまでの画像形成領域１２ｉを縮小して、画像領域１２ｇ内に新たな矩形の画像形成領域１２ｊを設定する。そして、画像信号処理部３２は、これ以降入力される画像データに対して、新たな画像形成領域１２ｊに入力画像Ｇｉを形成させるべく、画素値を略均一に間引いて入力画像Ｇｉを縮小させる補正を施すとともに、画像形成領域１２ｊの外側の余剰領域１２ｎ（文字領域１２ｔを含む）の光透過率を最小とする補正を施す。
【００３９】
また、文字合成キーが操作された時点で台形歪補正を行っていた場合で、画像形成領域１２ｉの高さＨｉが、画像領域１２ｇの高さＨｇを超える場合（図４（ａ）参照）には、画像信号処理部３２は、図７（ａ）に示すように、それまでの画像形成領域１２ｉを縮小し、画像領域１２ｇに収まる新たな台形状の画像形成領域１２ｊを設定する。そして、これ以降、画像信号処理部３２は、新たな画像形成領域１２ｊに入力画像Ｇｉを形成させるべく、台形歪補正部３３による台形歪補正を画像データに施す。
【００４０】
なお、図８（ａ）に示すように、文字合成キーが操作された時点で台形歪補正を行っていた場合で、画像形成領域１２ｉの高さＨｉが、画像領域１２ｇの高さＨｇ以下の場合には、画像形成領域１２ｉを縮小する必要はない。つまり、画像信号処理部３２は、これ以降入力される画像データに対しても、それまでの画像形成領域１２ｉに入力画像Ｇｉを形成させるべく、台形歪補正部３３による台形歪補正を継続する。
【００４１】
一方、合成処理部３４は、制御部２０から文字合成の指示を受けると、制御部２０から入力されるテキストデータに基づく文字画像データを生成し、図６（ｂ）、図７（ｂ）、図８（ｂ）に示すように、文字領域１２ｔに文字画像Ｇｔを形成させるべく画像信号処理部３２から入力される画像データに、生成した文字画像データを合成する。
【００４２】
ライトバルブ駆動部１４が、合成処理部３４から入力される画像データに従って液晶ライトバルブ１２を駆動すると、液晶ライトバルブ１２は、入力画像Ｇｉと文字画像Ｇｔとが合成された画像を形成し、この画像がスクリーンＳＣに投写される（図６（ｃ）、図７（ｃ）、図８（ｃ）参照）。
【００４３】
なお、図７（ｃ）、図８（ｃ）では、台形歪により文字情報に歪みが生じているが、図９（ｂ）に示すように、合成すべき文字画像データに対して台形歪補正を施して文字画像Ｇｔを予め逆方向に歪めさせるようにすれば、図９（ｃ）に示すように、表示される文字情報の歪を抑制することが可能である。
【００４４】
文字合成を行っている状態で、ユーザにより再度文字合成キーが操作されると、制御部２０は、画像信号処理部３２及び合成処理部３４に指示をして、文字合成を終了させる。画像信号処理部３２は、上記の指示を受けると、当初の画像形成領域１２ｉに入力画像Ｇｉを形成させる状態に復帰する。
【００４５】
以上説明したように、本実施形態のプロジェクタ１によれば、以下の効果を得ることができる。
（１）本実施形態のプロジェクタ１によれば、合成処理部３４が、入力画像Ｇｉの外側に文字画像Ｇｔを形成させるべく文字画像データの合成を行うため、文字情報（日付及び時刻）は、投写される入力画像Ｇｉの外側に表示されることになる。このため、表示すべき画像、即ち入力画像Ｇｉを隠すことなく文字情報を表示することが可能となる。
【００４６】
（２）本実施形態のプロジェクタ１によれば、台形歪補正部３３が入力画像Ｇｉをあおり方向に向かうほど縮小させ、合成処理部３４が、台形歪補正部３３による入力画像Ｇｉの縮小によって生じた余剰領域１２ｎに文字画像Ｇｔを形成させている。このため、所定の補正量で台形歪補正を行う場合には、文字情報を表示する領域を確保するために入力画像Ｇｉを改めて縮小させる必要がなくなるため、縮小に伴う入力画像Ｇｉの劣化（画質低下）を抑制することが可能となる。
【００４７】
（３）本実施形態のプロジェクタ１によれば、入力画像Ｇｉの外側に文字画像Ｇｔを形成可能な余剰領域１２ｎがない場合に、画像信号処理部３２が、入力画像Ｇｉを縮小させて必要な余剰領域１２ｎを設けるようにしているため、常に入力画像Ｇｉの外側に文字画像Ｇｔを表示することが可能となる。
【００４８】
（４）本実施形態のプロジェクタ１によれば、入力画像Ｇｉの外側に日付や時刻が表示されるため、プレゼンテーションや映像鑑賞の途中に、カレンダーや時計を見る必要がなくなる。
【００４９】
（変形例）
また、本発明の実施形態は、以下のように変更してもよい。
前記実施形態では、ユーザにより文字情報の合成が指示された場合には、常に文字情報を表示するようにしているが、台形歪補正のために画像形成領域１２ｉを縮小させた結果、その外側に文字画像Ｇｔを形成するのに必要な大きさの余剰領域１２ｎがある場合にのみ文字情報を表示する態様にすることも可能である。例えば、画像信号処理部３２が、画像形成領域１２ｉの高さＨｉを制御部２０に通知し、制御部２０が、高さＨｉが画像領域１２ｇの高さＨｇ以下である場合にのみ、合成処理部３４に対して文字情報の合成を指示するようにしてもよい。この場合には、文字情報を表示するだけのために入力画像Ｇｉを縮小させる必要がなくなるため、縮小に伴う入力画像Ｇｉの劣化（画質低下）を抑制することが可能となる。
【００５０】
前記実施形態では、文字領域１２ｔを画像領域１２ｇの上方に設けているが、文字領域１２ｔの位置は、画像領域１２ｇの外側であれば上下左右のいずれであってもよい。また、文字領域１２ｔは、１ヶ所に限られず、複数箇所に設けるようにしてもよい。
【００５１】
前記実施形態では、文字情報として、日付と時刻を表示する態様を示しているが、文字情報は、前記に限定されず、例えば、メーカー名や各種メッセージを表示するようにしてもよい。また、表示する文字情報をユーザが任意に設定可能な構成にすることも可能である。
【００５２】
前記実施形態において、入力画像Ｇｉのアスペクト比が、画素領域１２ａのアスペクト比と異なる場合には、図１０に示すように、画像形成領域１２ｉの外側に生じる余剰領域１２ｎに文字画像Ｇｔを形成させるようにすればよい。なお、この余剰領域１２ｎの高さが、文字画像Ｇｔの形成に必要な高さ、即ち文字領域１２ｔの高さＨｔ（図５参照）よりも小さい場合には、画像形成領域１２ｉを縮小したり、移動させたりすればよい。
【００５３】
前記実施形態では、プロジェクタ１が＋Ｙ方向にあおり投写を行う場合の例を示したが、他の方向（−Ｙ方向、±Ｘ方向）にあおり投写を行う場合にも、本発明を適用することが可能である。
【００５４】
前記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００５５】
前記実施形態では、光源１１は、放電型光源ランプによって構成されているが、ＬＥＤ（Light Emitting Diode：発光ダイオード）光源等の固体光源や、その他の光源を用いることもできる。
【図面の簡単な説明】
【００５６】
【図１】本発明の実施形態に係るプロジェクタを示す斜視図。
【図２】プロジェクタの概略構成を示すブロック図。
【図３】（ａ）〜（ｅ）は、台形歪補正部による台形歪補正を説明するための説明図であり、画像データに対して台形歪補正を施していない状態を示す図。
【図４】（ａ）〜（ｄ）は、台形歪補正部による台形歪補正を説明するための説明図であり、画像データに対して台形歪補正を施した状態を示す図。
【図５】文字画像を表示する際の動作を説明するための説明図であり、液晶ライトバルブの正面図。
【図６】（ａ）〜（ｃ）は、文字画像を表示する際の動作を説明するための説明図であり、（ａ）、（ｂ）は、液晶ライトバルブの正面図、（ｃ）は、スクリーンに表示される投写画像を示す正面図。
【図７】（ａ）〜（ｃ）は、文字画像を表示する際の動作を説明するための説明図であり、（ａ）、（ｂ）は、液晶ライトバルブの正面図、（ｃ）は、スクリーンに表示される投写画像を示す正面図。
【図８】（ａ）〜（ｃ）は、文字画像を表示する際の動作を説明するための説明図であり、（ａ）、（ｂ）は、液晶ライトバルブの正面図、（ｃ）は、スクリーンに表示される投写画像を示す正面図。
【図９】（ａ）〜（ｃ）は、文字画像を表示する際の動作を説明するための説明図であり、（ａ）、（ｂ）は、液晶ライトバルブの正面図、（ｃ）は、スクリーンに表示される投写画像を示す正面図。
【図１０】入力画像のアスペクト比が画素領域のアスペクト比と異なる場合の動作を説明するための説明図であり、液晶ライトバルブの正面図。
【符号の説明】
【００５７】
１…プロジェクタ、２…画像供給装置、１０…画像投写部、１１…光源、１２…液晶ライトバルブ、１２ａ…画素領域、１２ｔ…文字領域、１２ｇ…画像領域、１２ｉ，１２ｊ…画像形成領域、１２ｎ…余剰領域、１３…投写レンズ、１４…ライトバルブ駆動部、２０…制御部、２１…入力操作部、２２…時計部、３１…画像信号入力部、３２…画像信号処理部、３３…台形歪補正部、３４…合成処理部、Ｇａ…投写画像、Ｇｔ…文字画像、Ｇｉ…入力画像、Ｐｘ…画素、ＳＣ…スクリーン。
【図１】
2008268624.tif 000003
【図２】
2008268624.tif 000004
【図３】
2008268624.tif 000005
【図４】
2008268624.tif 000006
【図５】
2008268624.tif 000007
【図６】
2008268624.tif 000008
【図７】
2008268624.tif 000009
【図８】
2008268624.tif 000010
【図９】
2008268624.tif 000011
【図１０】
2008268624.tif 000012